(57)【要約】      （修正有）【課題】紫外線を利用する殺菌灯において、紫外線の発生能力が低下したランプの交換時期を判定するため、紫外線発光時間経過を表示できる時間経過表示フィルムを提供する。【解決手段】紫外線ランプからの紫外線を受ける場所に貼って使用するものであって、透明基材フィルムに、紫外線によって褪色するもので、その褪色時間の異なる塗料を複数用い、それらを一部重複して印刷する。例えば、３色の塗料（３つの褪色時間の異なる塗料）、黄色塗料１、赤色塗料２及び青色塗料４を一部重複する様に透明基材フィルム上に塗布する。一部重複させることにより、合計７色の部分を形成する。褪色の速い順に、黄色１、赤色２、オレンジ色（黄色と赤色の積層部）３、青色４、緑色（黄色と青色の積層部）５、紫色（赤色と青色の積層部）６及び黒（３色すべての積層部）７となる。【選択図】図１
0003158338.tif 000002
【実用新案登録請求の範囲】
【請求項１】
紫外線ランプからの紫外線を受ける場所に貼って使用するものであって、透明基材フィルムに、紫外線によって褪色するもので、その褪色時間の異なる塗料を複数用い、それらを一部重複して印刷したことを特徴とする時間経過表示フィルム。
【請求項２】
一方側から順に速く褪色するよう部分的に積層印刷されたものである請求項１記載の時間経過表示フィルム。
【請求項３】
円形に印刷され、回転する順に速く褪色するよう部分的に積層印刷されたものである請求項１記載の時間経過表示フィルム。
【請求項４】
３色以上使用するものである請求項１乃至３のいずれかに記載の時間経過表示フィルム。
【請求項５】
紫外線によって褪色する塗料の下に、紫外線によって褪色しない塗料によって一定の表示を印刷しておくものである請求項１乃至４のいずれかに記載の時間経過表示フィルム。
【請求項６】
紫外線ランプ保護フィルムの中に入れて使用するものである請求項１乃至５のいずれかに記載の時間経過表示フィルム。
【請求項７】
本体が、紫外線ランプ保護フィルムを兼ねるものである請求項１乃至５のいずれかに記載の時間経過表示フィルム。
【考案の詳細な説明】
【技術分野】
【０００１】
本考案は、時間経過表示フィルムに関するものである。
【背景技術】
【０００２】
殺菌灯は食品工場や種々の場所において室内や製品表面を殺菌するために使用されている。食品工場においては、天井等に設けて、室内の空気の対流を利用して殺菌灯付近に流れてきた空気を殺菌するものが多い。
【０００３】
この殺菌灯で最も多いものは紫外線を用いるものである。即ち、紫外線を照射し、それによって菌やウイルスを殺すものである。他の殺菌方法に比べて、簡単で後処理も不要であるためほとんどこの方式である。
殺菌はその紫外線の強さに依存するため、紫外線は常にある程度以上の強度を保つ必要がある。しかしながら、紫外線ランプは時間とともにその紫外線強度が低下する。ある程度以下になれば、交換しなければ所定の殺菌効果が得られない。
【０００４】
また、この交換時期が見た目では分からない。なぜならば、紫外線ランプが発する可視光はほとんど変わらないためである。
【０００５】
このため、紫外線ランプを交換した時期を記録しておき、一定時間経過するとチェックして交換していた。紫外線ランプの数が多くなると、例えば、数百本以上になると非常に手間である。
【考案の概要】
【考案が解決しようとする課題】
【０００６】
そこで簡単に使用期間がわかり、交換時期を認識できる時間経過表示フィルムを提供する。
【課題を解決するための手段】
【０００７】
以上のような状況に鑑み、本考案者は鋭意研究の結果本考案時間経過表示フィルムを完成したものであり、その特徴とするところは、紫外線ランプからの紫外線を受ける場所に貼って使用するものであって、透明基材フィルムに、紫外線によって褪色するもので、その褪色時間の異なる塗料を複数用い、それらを一部重複して印刷した点にある。
【０００８】
紫外線照射ランプとは、前記した殺菌灯、ブラックライト、誘虫灯、照明用蛍光灯、ＬＥＤ、オゾンランプ等紫外線を照射するものであればどのようなものでもよい。特に、その強度の減衰が問題となるものである。
【０００９】
紫外線ランプからの紫外線を受ける場所とは、紫外線ランプの周囲全般を指す。紫外線ランプの表面、紫外線ランプを用いる紫外線照射装置の表面、紫外線照射装置近傍の壁面や天井、紫外線照射装置近傍の他の装置表面、その他である。
【００１０】
透明基材フィルムは、どのようなものでもよいが紫外線に強いものが好適である。フッ素系フィルム、シリコン系フィルム、アクリル系フィルム、ポリエステル系フィルム等である。
厚みは、限定しないが１０〜２００μｍ程度が好適である。大きさや形状も自由であるが、２ｃｍ角〜５ｃｍ角（矩形すれば）程度のシールが便利である。しかし、後述保護フィルムの場合には大きいものとなる。
【００１１】
紫外線によって褪色する塗料とは、通常はほとんどの塗料は褪色するため問題はないが、無機顔料を用いたものでほとんど褪色のしないものもある。このようなものではないという意味である。
【００１２】
ここでいう印刷は、塗料を固着することすべてをさす概念として使用する。単に塗布することや、噴霧して固着すること等も含むものである。
【００１３】
褪色時間の異なる塗料とは、褪色する時間が異なればよく、色は同じでもよいが、実際にはほとんど色も異なるものである。例えば、ある種の黄色の塗料では褪色期間は約２ヶ月、ある種の青の塗料では褪色期間は約４ヶ月等である。
【００１４】
本考案では、この紫外線によって褪色する塗料を複数種、一部重複して積層することがポイントである。即ち、単に１種の塗料を用いたものでは、その色が褪色するか否かだけであるため、時間経過の途中がまったく分からない。
ここでいう一部重複とは、図１で示すような純然たる一部重複だけでなく、それぞれの色を離れて印刷したものも含む。即ち、図１の１〜７の各部を切り離したようなものである。印刷で行うため、手順や手間はほとんど同じである。
【００１５】
複数種の塗料をまったく積層せず、別個に塗布（印刷）することも考えられるが、それでは途中経過を判別するだけの塗料の種類が必要になる。例えば、７段階の時間経過が知りたい場合には、７種の塗料を準備しなければならない。
しかし、本考案のように部分的に積層すれば、３種の塗料で７種の異なった単色時間層ができる。それぞれの色の１層部分（３ヶ所）、２層積層部分（３ヶ所）及び３層積層部分の７ヶ所である。
【００１６】
また、単に積層するだけでなく、一方側から順に褪色するように印刷すれば、一目でおおよその経過時間がわかる。
【００１７】
更に、単に紫外線によって褪色する塗料によって印刷するだけでなく、その下に紫外線によって褪色しない塗料で、一定の表示を印刷しておいてもよい。そのようにすれば、褪色する塗料が褪色すると、その褪色しない塗料による一定の表示が見えるようになり、また別の表示機能を発揮する。
一定の表示としては、種々のマーク、交換等の文字、更には４ヶ月等の期間表示等である。
【００１８】
本考案フィルムには、裏面に粘着剤を塗布しておくのが便利である。他の粘着剤や粘着テープ等を用いてもよい。これらの粘着剤は、紫外線によって使用期間では粘着性がなくならないものが必要である。即ち、劣化によって剥離、落下しては意味がないためである。
【００１９】
また、裏面には粘着剤を塗布しないか、仮止め程度で少し塗布するようにしてもよい。この場合には、紫外線照射ランプを保護するために、その周囲に巻く（カバーする）フィルムによって、本考案フィルムをカバー保持するのがよい。即ち、その透明カバーフィルムの内側に入れておくだけでよい。
【００２０】
また、本考案フィルム自体が、紫外線ランプに巻き付けてランプを保護するカバーフィルムであってもよい。即ち、飛散防止カバーフィルムの一部に印刷して本考案のフィルムにすればよい。
【考案の効果】
【００２１】
本考案には、次のような効果がある。
（１）  紫外線によって褪色する塗料が複数種塗布されているため、褪色によって時間経過が簡単に把握できる。
（２）  時間経過が把握できるため、紫外線の強度が落ちたランプを使用して殺菌効果等が低下した状態になることを防止できる。
（３）  非常に安価である。
【図面の簡単な説明】
【００２２】
【図１】本考案フィルムの１例を示す平面図である。
【図２】本考案フィルムの印刷部分の他の例の製造工程を示す平面図である。
【図３】図２の例でできた印刷部分の平面図である。
【考案を実施するための最良の形態】
【００２３】
以下実施の形態に基づいて、本考案をより詳細に説明する。
図１は本考案時間経過表示フィルムの１例を示す平面図である。透明フィルムＦに印刷を施したものである。大きさとしては、５ｃｍ×５ｃｍである。
【００２４】
この例は、３色の塗料（３つの褪色時間の異なる塗料）を用いて、７段階の経時段階を判別できるようにしたものである。
３つの色は、褪色の速いものから順に、黄色、赤色、青色である。
そしてこれらを積層したものを含めた褪色順は次の通りであった。
１  黄色
２  赤色
３  オレンジ色（黄色と赤色の積層）
４  青色
５  緑色（黄色と青色の積層）
６  紫色（赤色と青色の積層）
７  黒（３色すべての積層）
図１の７つの部分がこれに対応する。
【００２５】
この７つの部分を、一方側から１〜７の順になるように印刷すると非常にわかりやすい表示具となる。次にその方法を示す。
【００２６】
印刷工程を図２に示す。まず最初、黄色を図２の１、３、５、７の部分に印刷する（ａ）。これは、図１の黄色の円からも理解できる。
次に赤色で、２、３、６、７の部分を印刷する（ｂ）。この図では、別に見えているが、実際には重ねて印刷する。つまり（ａ）の７の場所と、（ｂ）の７の場所はまったく同じ場所である。最後に、４、５、６、７の部分を印刷すればよい（ｃ）。
これが、請求項でいう一方側から順に速く褪色するよう部分的に積層印刷した例である。
【００２７】
図３は、図２の工程が終わったところである。色としては、図１の１〜７と同じである。位置が異なるだけである。
左から順に上記した１〜７の順になっている。このパターンなら、左側から順に褪色していくため、経時が非常に分かりやすい。
【符号の説明】
【００２８】
Ｆ  フィルム
１  黄色
２  赤色
３  オレンジ色（黄色と赤色の積層）
４  青色
５  緑色（黄色と青色の積層）
６  紫色（赤色と青色の積層）
７  黒（３色すべての積層）
【図１】
0003158338.tif 000003
【図２】
0003158338.tif 000004
【図３】
0003158338.tif 000005